(57)【特許請求の範囲】
【請求項１】
基地局のユーザプレーンによって、ユーザ機器から、デフォルトのデータ無線ベアラ（ＤＲＢ）上でデータパケットを受信することであって、前記データパケットは、サービス品質フローインジケータ（ＱＦＩ）を含む、受信することと、
前記基地局の制御プレーンに対し、前記基地局の前記ユーザプレーンに前記ＱｏＳフローとＤＲＢとの間のマッピングがないことに応答して、サービス品質（ＱｏＳ）フローを示す前記ＱＦＩを含むメッセージを送信することと、
前記ユーザプレーンによって、前記制御プレーンから、前記ＱｏＳフローと前記ＤＲＢとの間のマッピング関係を示す他のメッセージを受信することと、を含む無線通信方法。
【請求項２】
前記ＱｏＳフローと前記ＤＲＢとの間のマッピング関係は、前記マッピング関係が対称であることを示す１又は複数のビットを含み、前記対称のマッピング関係は、ユーザ機器がアップリンク送信のための対応する無線リソースに対し前記ＱｏＳフローをマッピングできるようにし、
前記１又は複数のビットは、前記基地局の前記ユーザプレーンから、前記ユーザ機器に送信される、請求項１に記載の方法。
【請求項３】
前記１又は複数のビットは、アクセスストラタムリフレクティブインジケータを含む、請求項２に記載の方法。
【請求項４】
請求項１〜３のいずれか１項に記載の方法を実行するように構成されたプロセッサを備える無線通信装置。
【請求項５】
コンピュータ可読プログラム媒体コードが格納されたコンピュータ可読媒体であって、前記コードは、プロセッサによって実行されると、前記プロセッサに、請求項１〜３のいずれか１項に記載の方法を実行させる、コンピュータ可読媒体。
【発明の詳細な説明】
【技術分野】
【０００１】
本開示は、無線通信のためのシステム、装置及び技術に関する。
【背景技術】
【０００２】
より高い展開柔軟性、多数のデバイス及びサービスのサポート、並びに効率的な帯域幅利用のための種々の技術を提供する次世代無線通信ネットワークを定義するための努力が、現在進行中である。より良好な帯域幅利用のために、より高いサービス品質を提供するための新しい方法を含む様々な技術が議論されている。
【発明の概要】
【０００３】
本明細書は、特に、ユーザプレーンと制御プレーンとが互いに論理的に分離されているネットワークアーキテクチャにおいて、データフローにサービス品質を提供するための技術を記載している。
【０００４】
１つの例示的な態様では、無線通信方法が開示される。この方法は、ＱｏＳイベントに基づいて基地局の制御プレーンから基地局のユーザプレーンにサービス品質（ＱｏＳ）更新を提供することであって、ＱｏＳ更新は、ＱｏＳフローと、ユーザデータ送信のための対応する無線リソースとの間のマッピングを示す情報を含む、提供することと、ユーザプレーンにおいて、ＱｏＳフローと無線リソースとの間のマッピングを格納することと、ユーザプレーンにおいて、コアネットワークからＱｏＳフローのダウンストリームデータパケットを受信することと、対応する無線リソースを使用してダウンリンク方向にダウンストリームデータパケットを送信することと、を含む。
【０００５】
他の例示的な態様では、他の無線通信方法が開示される。この方法は、ＱｏＳイベントに基づいて基地局の制御プレーンから基地局のユーザプレーンにサービス品質（ＱｏＳ）更新を提供することであって、ＱｏＳ更新は、１つ又は複数のＱｏＳフローに関するダウンリンクＱｏＳパラメータが対応するアップリンク情報について決定可能であるように、対称である（symmetric）１つ又は複数のＱｏＳフローを識別する情報を含む、提供することと、対称である１つ又は複数のＱｏＳフローのアイデンティティをユーザプレーンに格納することと、ユーザプレーンにおいて、コアネットワークから所与のＱｏＳフローのダウンストリームデータパケットを受信することと、対応する無線リソースを使用してダウンリンク方向でダウンリンクデータパケットを送信することと、を含む。
【０００６】
さらに他の例示的な態様では、無線通信方法が開示される。この方法は、基地局において、コアネットワークからのダウンストリーム送信のためのデータパケットを受信することであって、データパケットは、サービス品質フローインジケータを含み、基地局のユーザプレーンによって、基地局の制御プレーンから、サービス品質フローインジケータとダウンストリーム送信のための無線リソースとの間のマッピングを取得することと、制御プレーンから取得されたマッピングを使用して、ダウンストリーム方向にデータパケットを送信することと、とを含む。
【０００７】
さらに他の例示的な態様では、開示される無線通信方法は、基地局において、アップリンク無線リソース上で、ユーザ機器からのアップストリーム送信のためのデータパケットを受信することであって、データパケットは、サービス品質フローインジケータを含む、受信することと、ユーザプレーンによって、基地局の制御プレーンから、サービス品質フローインジケータとアップリンク無線リソースとの間のマッピングを取得することと、アップリンク無線リソース上で受信された次のデータパケットのために、サービス品質フローインジケータによって示されるサービス品質フローを関連付けることと、を含む。
【０００８】
さらに他の態様では、開示される無線通信方法は、基地局において、アップリンク無線リソース上で、ユーザ機器からのアップストリーム送信のためのデータパケットを受信することであって、データパケットは、サービス品質フローインジケータを含む、受信することと、ユーザプレーンによって、基地局の制御プレーンから、サービス品質インジケータとアップリンク無線リソースとの間のマッピングを取得することであって、マッピングは、マッピングが対称型であることを示す、取得することと、マッピングが対称型であることを示すメッセージをユーザ機器に送信することを含む。
【０００９】
さらに他の例示的な態様では、プロセッサを備える無線通信装置が開示される。プロセッサは、本明細書で説明される方法を実行するように構成される。
【００１０】
他の例示的な態様では、本明細書で説明される様々な技術は、プロセッサ実行可能コードとして実施され、コンピュータ可読プログラム媒体上に格納され得る。
【００１１】
１つ又は複数の実装例の詳細は、添付の添付物、図面、及び以下の説明に記載される。他の特徴は、明細書及び図面、並びに特許請求の範囲から明らかにされる。
【図面の簡単な説明】
【００１２】
【図１】基地局の構成の一例を示す図である。
【００１３】
【図２】ユーザ装置と、基地局の制御プレーン（ＣＰ）と、基地局のユーザプレーン（ＵＰ）との間で交換されるメッセージの例を示す図である。
【００１４】
【図３】ユーザ装置と、基地局の制御プレーン（ＣＰ）と、基地局のユーザプレーン（ＵＰ）との間で交換されるメッセージの例を示す図である。
【００１５】
【図４】ユーザ装置と、基地局の制御プレーン（ＣＰ）と、基地局のユーザプレーン（ＵＰ）との間で交換されるメッセージの例を示す図である。
【００１６】
【図５】ユーザ装置と、基地局の制御プレーン（ＣＰ）と、基地局のユーザプレーン（ＵＰ）との間で交換されるメッセージの例を示す図である。
【００１７】
【図６】ユーザ装置と、基地局の制御プレーン（ＣＰ）と、基地局のユーザプレーン（ＵＰ）との間で交換されるメッセージの例を示す図である。
【００１８】
【図７】無線通信方法の一例を示すフローチャートである。
【００１９】
【図８】他の無線通信方法の一例を示すフローチャートである。
【００２０】
【図９】他の無線通信方法の一例を示すフローチャートである。
【００２１】
【図１０】他の無線通信方法の一例を示すフローチャートである。
【００２２】
【図１１】他の無線通信方法の一例を示すフローチャートである。
【００２３】
【図１２】無線通信装置の一例を示すブロック図である。
【００２４】
【図１３】無線通信ネットワークの一例を示す図である。
【００２５】
種々の図面における同じ参照記号は、同じ要素を示す。
【発明を実施するための形態】
【００２６】
４Ｇ（４  Ｇｅｎｅｒａｔｉｏｎ）又はＬＴＥ（Ｌｏｎｇ  Ｔｅｒｍ  Ｅｖｏｌｕｔｉｏｎ）の移動通信システムでは、同一のＱｏＳ（Ｑｕａｌｉｔｙ  ｏｆ  Ｓｅｒｖｉｃｅ）要求を有するデータストリームがＱｏＳ処理上のベアラ、無線アクセスネットワーク（Ｒａｄｉｏ  Ａｃｃｅｓｓ  Ｎｅｔｗｏｒｋ：ＲＡＮ）及びコアネットワーク（Ｃｏｒｅ  Ｎｅｔｗｏｒｋ：ＣＮ）に集約（aggregate）され、負荷（load）によって搬送される。４Ｇシステムでは、ＲＡＮは、ｅＮＢ（ｅｖｏｌｖｅｄ  Ｎｏｄｅ  Ｂ）とＵＥ（Ｕｓｅｒ  Ｅｑｕｉｐｍｅｎｔ）とを含む。Ｓ１インタフェース上で互いにインタフェース接続するｅＮＢとコアネットワークとの間のネットワークベアラ、及び、ｅＮＢとＵＥとの間の無線インタフェース上で通信する無線ベアラは、一対一で対応する。
【００２７】
今後の５Ｇシステムでは、コアネットワーク、基地局、及びＵＥは、いくつかの変更を受けることが予想される。５Ｇ基地局は、ｇＮＢ（Ｎｅｘｔ  Ｇｅｎｅｒａｔｉｏｎ  Ｎｏｄｅ  Ｂ、Ｎｅｘｔ  Ｇｅｎｅｒａｔｉｏｎ  Ｂａｓｅ  Ｓｔａｔｉｏｎ）と呼ばれることもある。４ＧシステムにおけるｅＮＢ間のＸ２インタフェースと同様に、ｇＮＢインタフェースは、Ｘｎと呼ばれるインタフェースである。ｇＮＢと５Ｇコアネットワークとの間のインタフェースは、ＮＧインタフェースと呼ばれる。５Ｇシステムは、新しいＱｏＳメカニズムを使用することが期待される。無線ベアラ上の無線インタフェースは、ＤＲＢ（Ｄａｔａ  Ｒａｄｉｏ  Ｂｅａｒｅｒ：データ無線ベアラ）を使用することができるが、ネットワーク側には対応するＮＧインタフェースはなく、代わりに、ＰＤＵセッション（Ｐｒｏｔｏｃｏｌ  Ｄａｔａ  Ｕｎｉｔ  Ｓｅｓｓｉｏｎ：プロトコルデータユニットセッション）、及びＱｏＳフロー（Ｑｕａｌｉｔｙ  ｏｆ  Ｓｅｒｖｉｃｅ  Ｆｌｏｗ）の概念が使用される。ＵＥは、複数のＰＤＵセッションを有することができる。ＰＤＵセッションは、複数のＱｏＳフローを含むことができる。同じＰＤＵセッションの複数のＱｏＳフローは、同じＤＲＢにマッピングされることができる。異なるＰＤＵセッションのＱｏＳフローは、同じＤＲＢにマッピングすることができない。
【００２８】
新しい５Ｇ  ＱｏＳメカニズムはまた、主に制御オーバーヘッドを節約するために、ＮＡＳリフレクティブ（非アクセス層リフレクティブ（reflective））機能及びＡＳリフレクティブ（アクセス層リフレクティブ）機能を導入した。ＮＡＳリフレクティブは、ＱｏＳフローマッピング関係構成へのアップリンク方向ＳＤＦ（Ｓｅｒｖｉｃｅ  Ｄａｔａ  Ｆｌｏｗ：サービスデータフロー）を完了するためのユーザ対応方法であり、ＡＳリフレクティブは、ユーザプレーンを介して、ＵＥがＤＲＢマッピング関係へのアップストリーム方向ＱｏＳフローを完了する方法である。
【００２９】
５Ｇ基地局では、ＱｏＳフロー及びＤＲＢマッピング（マッピング）などのために、ＳＤＡＰ（Ｓｅｒｖｉｃｅ  Ｄａｔａ  Ａｄａｐｔａｔｉｏｎ  Ｐｒｏｔｏｃｏｌ：サービスデータアダプションプロトコル）と呼ばれるＰＤＣＰ（Ｐａｃｋｅｔ  Ｄａｔａ  Ｃｏｎｖｅｒｇｅｎｃｅ  Ｐｒｏｔｏｃｏｌ：パケットデータコンバージェンスプロトコル）の上に新たなプロトコルサブレイヤが導入される。いくつかの実施形態では、各ＰＤＵセッションは、ＳＤＡＰエンティティ（エンティティ）を有する。
【００３０】
５Ｇ基地局は、概念的には、ＣＵ（Ｃｅｎｔｒａｌ  Ｕｎｉｔ）とＤＵ（Ｄｉｓｔｒｉｂｕｔｅｄ  Ｕｎｉｔ）とに分けることができる。様々な実施形態によれば、１つの基地局は１つのＣＵを有し、基地局は集中ユニット分散ユニット分離（ＣＵ−ＤＵ分割）と呼ばれる複数のＤＵを有することができる。
【００３１】
５Ｇ基地局又は５Ｇ基地局のＣＵは、概念的にＣＰ（Ｃｏｎｔｒｏｌ  Ｐｌａｎｅ：制御プレーン）とＵＰ（Ｕｓｅｒ  Ｐｌａｎｅ：ユーザプレーン）に分けることができる。これは、Ｆ１インタフェース用のＣＰ−ＵＰ分割と呼ばれる。ＣＰとＵＰとの間のインタフェースは、図１の例示的な実施形態に示されるように、Ｅ１インタフェースと呼ばれる。制御プレーンは、例えば、５Ｇ基地局の無線リソース管理（ＲＲＭ）、無線リソース制御（ＲＲＣ）及びパケットデータコンバージェンスプロトコルＣ−プレーン（ＰＤＣＰ−Ｃ）機能を含む。ユーザプレーンは、例えば、５Ｇ基地局のパケットデータコンバージェンスプロトコルＵプレーン（ＰＤＣＰ−Ｕ）機能を含む。
【００３２】
本明細書は、来たる５ＧネットワークのようなアーキテクチャにおいてＱｏＳを実施できる複数の方法を提供する。いくつかの実施形態では、開示された技術は、５Ｇシステムに関して説明したように、制御プレーンとユーザプレーンとが論理的に分離されている無線システムアーキテクチャで実施することができる。５Ｇアーキテクチャからの特定の概念は、理解を容易にするためだけに様々な実施形態を説明するために使用され、開示された技術は、他の通信ネットワークでも実施することができる。
【００３３】
いくつかの実施形態では、上述の課題を解決するために、新しいＱｏＳメカニズムの実装方法が開示される。実施形態１及び２が本明細書に記載されている。実施形態では、制御プレーンとユーザプレーンが分離されるシナリオの５ＧシステムにおけるＱｏＳ方法の実施が説明される。
【００３４】
いくつかの実施形態では、基地局ユーザプレーンがＤＲＢに対するＱｏＳフローのフロー（アップストリーム方向及びダウンストリーム方向を含む）を時間内に知り、及び／又は、基地局ユーザプレーン、及びどのＱｏＳフローがＮＡＳリフレクティブに実行される必要があるかを更新するように、基地局は、更新メッセージを基地局ユーザプレーンに送信するように制御する。
【００３５】
いくつかの実施形態では、基地局ユーザプレーンは、更新メッセージからの情報、すなわち、（アップストリーム及びダウンストリームを含む）ＱｏＳフロー対ＤＲＢマッピング（ＱｏＳ  ｆｌｏｗ  ｔｏ  ＤＲＢ  ｍａｐｐｉｎｇ）、及び／又はＮＡＳリフレクティブを必要とするＱｏＳフロー情報を格納する。
【００３６】
いくつかの実施形態では、基地局ユーザプレーンは、最新のダウンリンク方向ＱｏＳフロー対ＤＲＢマッピング関係に従って、コアネットワークからダウンリンクパケットを受信する。ダウンリンクパケットは、ＱＦＩ（Ｑｕａｌｉｔｙ  ｏｆ  Ｓｅｒｖｉｃｅ  Ｆｌｏｗ  Ｉｄｅｎｔｉｔｙ）を有していてもよい。基地局は、無線インタフェースを介してダウンストリームに送信するときに、パケットがどのＤＲＢにマッピングされるべきかというＱＦＩを使用することができる。代替的に又は追加的に、基地局は、格納されたＮＡＳリフレクティブＱｏＳフロー情報、ＱＦＩに含まれるダウンリンクデータパケットのルールに従ってマッピングを決定し、無線インタフェース内のダウンリンクパケットがＱＦＩと共に送信すべきかどうかを決定することができる。
【００３７】
いくつかの実施形態では、基地局ユーザプレーンがコアネットワークからダウンリンクパケットを受信すると、基地局は、ダウンリンクパケットに含まれるＱＦＩに対応するＱｏＳフローに従ってマッピングを実行することができる。対応するダウンリンクＱｏＳフロー対ＤＲＢマッピング関係が基地局ユーザプレーン上で見つからない場合、ユーザプレーンは、基地局制御プレーンに要求メッセージを送信して、ダウンリンク方向におけるＱｏＳフロー対ＤＲＢのマッピング関係を決定するように基地局制御プレーンに要求する。
【００３８】
いくつかの実施形態では、基地局制御プレーンは、関連するＱｏＳフローダウンストリーム対ＤＲＢのマッピング関係を決定する。基地局制御プレーンは、応答メッセージに応答する。いくつかの実施形態では、制御プレーンは、基地局制御プレーンによって決定されるように、１つ又は複数のダウンリンクＱｏＳフロー対ＤＲＢマッピング関係を搬送することができる。基地局制御プレーンは、（基地局ユーザプレーンが関連するＤＲＢを確立するための）１つ又は複数の関連するＤＲＢ構成情報を任意選択で搬送することもできる。
【００３９】
いくつかの実施形態では、基地局ユーザプレーンは、応答メッセージからの情報を、ダウンストリーム方向ＱｏＳフロー対ＤＲＢマッピングの形で格納する。
【００４０】
いくつかの実施形態では、基地局ユーザプレーンは、ダウンリンクパケットが、無線インタフェース上でまだ送信されていないダウンリンクパケットのための最新のダウンストリーム方向ＱｏＳフロー対ＤＲＢマッピング関係に従って送信されるべきときに、ダウンストリームパケットがマッピングされるＤＲＢを決定する。対応するＤＲＢが確立されていないことが分かった場合、例えば、応答メッセージからのＤＲＢの構成情報に基づいて、対応するＤＲＢを取得することができる。
【００４１】
いくつかの実施形態では、基地局ユーザプレーンが、所定の又はデフォルトのＤＲＢ（デフォルトＤＲＢ）上でＵＥから送信されたアップリンクパケットを受信すると、ユーザプレーンは、これらのアップリンクパケットに含まれるＱＦＩのＱｏＳフローが、基地局ユーザプレーン上で対応するアップストリーム方向ＱｏＳフロー対ＤＲＢマッピング関係を有するかどうかをチェックする。対応が見つからない場合、基地局ユーザプレーンは、基地局制御プレーンに要求メッセージを送信して、ＱｏＳフロー対ＤＲＢマッピング関係のアップストリーム方向を決定するように基地局制御プレーンに要求する。
【００４２】
いくつかの実施形態では、基地局制御プレーンは、関連するＱｏＳフロー対ＤＲＢへのマッピング関係を決定し、ＲＲＣ（Ｒａｄｉｏ  Ｒｅｓｏｕｒｃｅ  Ｃｏｎｔｒｏｌ）メッセージなどの上位層メッセージ、又はＡＳリフレクティブを介して、ＱｏＳフロー対ＤＲＢのマッピング関係をＵＥに構成し、ＱｏＳフローアップストリーム対ＤＲＢのマッピングをＵＥに構成する。
【００４３】
いくつかの実施形態では、基地局は、基地局制御プレーンによって決定された１つ又は複数のアップストリームＱｏＳフロー対ＤＲＢマッピング関係を搬送するように応答メッセージを制御する。ＡＳリフレクティブモードを通過するとき、応答メッセージはまた、ＡＳリフレクティブが使用されるべきであるという指示を搬送する。
【００４４】
ＡＳリフレクティブモードが採用される場合、基地局ユーザプレーンはＡＳリフレクティブを使用するように指示される。ダウンストリームパケットがコアネットワークから受信されると、対応するダウンストリームパケット、例えば、ダウンストリームパケットフローに含まれるＱＦＩの対応するＱｏＳフローは、応答メッセージ内の指示に従ってＡＳリフレクティブにされる。ＱＦＩ及びＡＳリフレクティブビットは、関連するＱｏＳフロー対ＤＲＢマッピング関係を生成するために無線インタフェースがＵＥに送信されるときに送信される。
【００４５】
いくつかの実施形態では、基地局ユーザプレーンは、アップストリーム方向ＱｏＳフロー対ＤＲＢマッピング関係を含む応答メッセージからの情報を格納する。
【００４６】
いくつかの実施形態では、基地局ユーザプレーンが、デフォルトＤＲＢ上でＵＥから送信されたアップストリームパケットを受信すると、アップリンクパケットに含まれるＱＦＩのＱｏＳフローは、基地局に格納された最新のアップストリームＱｏＳフロー対ＤＲＢマッピング関係に基づいて見つけることができる。基地局において、ユーザプレーンは、対応するアップリンク方向ＱｏＳフロー対ＤＲＢマッピング関係を有することができる。この場合、基地局ユーザプレーンは、もはや要求メッセージを基地局制御プレーンに送信する必要はない。
【００４７】
１つの有利な態様では、開示された技術は、制御プレーン−ユーザプレーン分離がある場合に、５Ｇシステムにおいて新しいＱｏＳメカニズムを実装するために使用されることができる。
【００４８】
幾つかの実施形態は、図２〜図６のシグナルフロー図例を参照しながら、本明細書において説明される。
【００４９】
実施形態１
【００５０】
図２を参照すると、以下の動作を実行することができる。
【００５１】
ステップ１．１：基地局制御プレーンが、コアネットワークからＱｏＳフローの追加又は削除などのネットワークに関する制御情報を受信する場合、又は、基地局制御プレーンがＱｏＳフローのＤＲＢへのマッピングを再マッピングする場合、基地局は、（アップリンク方向及びダウンリンク方向を含む）ＱｏＳフローの更新ステータスをＤＲＢに提供する。更新メッセージは、関連するＱｏＳフローをアップストリーム方向及び／又はダウンリンク方向にＤＲＢに搬送することができる。更新メッセージは、ＱＦＩ（ＱｏＳ  Ｆｌｏｗ  ＩＤ：Ｑｕａｌｉｔｙ  ｏｆ  Ｓｅｒｖｉｃｅ  ＩＤ）及びＤＲＢ  ＩＤ（Ｄａｔａ  Ｒａｄｉｏ  Ｂｅａｒｅｒ  ＩＤ）を含む各マッピング関係を含むことができる。代替的に、いくつかの実施形態では、更新メッセージは、以前に送信された更新から変化した値のみを送信することができる。
【００５２】
ステップ１．２：基地局ユーザプレーンは、更新メッセージから情報を保存する。この情報は、アップストリーム方向及びダウンストリーム方向の両方に対するマッピングを含む、ＱｏＳフロー対ＤＲＢマッピングを含む。
【００５３】
ステップ１．３において、基地局ユーザプレーンがコアネットワークからダウンリンクパケットを受信すると、ダウンリンクパケットは、最新のダウンストリーム方向ＱｏＳフロー対ＤＲＢマッピング関係及びダウンリンクパケットに含まれるＱＦＩに従って、無線インタフェース及び対応するＤＲＢにマッピングされるべきであると決定される。
【００５４】
ステップ１．４：基地局ユーザプレーンは、無線インタフェースにおいて対応するＤＲＢ上でダウンリンクパケットをＵＥに送信する。
【００５５】
実施形態２
【００５６】
図３を参照すると、以下の動作を実行することができる。
【００５７】
ステップ２．１において、基地局制御プレーンが、所定のＱｏＳフローについてコアネットワークからＮＡＳリフレクティブの制御情報を受信すると、基地局は、どのＱｏＳフローがＮＡＳリフレクティブであるべきかを基地局ユーザプレーンが知るように、更新メッセージを基地局ユーザプレーンに送信するように制御する。更新メッセージは、ＮＡＳリフレクティブのためのＱｏＳフィルタリングのために使用できる１つ又は複数のＱＦＩを搬送する。
【００５８】
ステップ２．２：基地局ユーザプレーンは、ＮＡＳリフレクティブのＱｏＳフロー情報を含む更新メッセージからの情報を保存する。
【００５９】
ステップ２．３：基地局ユーザプレーンがコアネットワークからダウンリンクパケットを受信すると、保存された情報及びダウンリンクパケットに含まれるＱＦＩに従ってＮＡＳリフレクティブのＱｏＳ情報を検索し、ダウンストリームパケットがＱＦＩを搬送すべきかどうかを判定する。具体的には、ユーザプレーンは、ダウンストリームパケットに含まれるＱＦＩが、ＮＡＳリフレクティブであるべきＱｏＳフローのＱＦＩであるかどうかを判定することができる。そうでない場合、無線リソースを節約するためのＱＦＩなしで、ダウンストリームパケットが無線インタフェースを介してＵＥに送信される。そうである場合、ＱＦＩは、ＵＥに送信されるパケットにおいて使用される。
【００６０】
ステップ２．４：基地局ユーザプレーンは、ＱＦＩを有する、又はＱＦＩを有さないダウンリンクパケットを無線インタフェースでＵＥに送信する。
【００６１】
実施形態３
【００６２】
図４を参照すると、以下の動作を実行することができる。
【００６３】
ステップ３．１において、基地局ユーザプレーンがコアネットワークからダウンリンクパケットを受信すると、ダウンリンクパケットに含まれるＱＦＩに対応するＱｏＳフローに従って、基地局ユーザプレーン上の対応するダウンリンクＱｏＳフロー対ＤＲＢマッピング関係がないことがわかる。この場合、追加情報なしでは、どのＤＲＢにマッピングされるべきかを送信するために無線インタフェース内のダウンリンクパケットを決定する方法がない。このとき、基地局ユーザプレーンは、基地局制御プレーンに要求メッセージを送信して、ダウンリンク方向におけるＤＲＢへのＱｏＳフローのマッピングを決定するように基地局制御プレーンに要求し、要求メッセージは、ＤＲＢへのマッピング関係を決定する必要があるＱｏＳフローの１つ又は複数のＱＦＩを搬送する。
【００６４】
ステップ３．２において、基地局制御プレーンは、関連するＱｏＳフローのＤＲＢへのマッピング関係を決定する。これを達成するために、基地局制御プレーンは、応答メッセージに応答し、基地局制御プレーンによって決定されたＤＲＢマッピング関係に１つ又は複数のダウンリンクＱｏＳフローを搬送する。応答は、（基地局ユーザプレーンが関連するＤＲＢを確立するための）１つ又は複数の関連するＤＲＢ構成情報を任意選択で搬送することができる。
【００６５】
ステップ３．３：基地局ユーザプレーンは、ダウンストリーム方向ＱｏＳフロー対ＤＲＢマッピング関係を含む応答メッセージからの情報を保存する。
【００６６】
ステップ３．４において、ダウンリンクパケットが、最新のダウンリンクＱｏＳフロー対ＤＲＢマッピング関係に従って、無線インタフェース上でまだ送信されていないダウンリンクパケットのために送信されるときに、基地局ユーザプレーンは、ダウンリンクパケットがマッピングされるべきＤＲＢを決定する。対応するＤＲＢが確立されていないことが分かった場合、（応答メッセージからのＤＲＢの構成情報に基づいて）対応するＤＲＢが確立される。
【００６７】
ステップ３．５：基地局ユーザプレーンは、ダウンリンクパケットを、無線インタフェースにおいて対応するＤＲＢ上でＵＥに送信する。
【００６８】
実施形態４
【００６９】
図５を参照すると、以下の動作を実行することができる。
【００７０】
ステップ４．１において、基地局ユーザプレーンが、デフォルトのＤＲＢ（「デフォルトＤＲＢ」）でＵＥから送信されたアップリンクパケットを受信すると、ユーザプレーンは、アップリンクパケットに含まれるＱＦＩに対応するＱｏＳフローが、基地局ユーザプレーンで利用可能な対応するアップリンク方向ＱｏＳフロー対ＤＲＢマッピングを有するかどうかをチェックする。
【００７１】
ステップ４．２において、基地局ユーザプレーンは、要求メッセージを基地局制御プレーンに送信して、アップリンク方向におけるＤＲＢに対するＱｏＳフローのマッピング関係を決定するように基地局制御プレーンに要求する。要求メッセージは、ＤＲＢ  ＱＦＩに対するアップリンク方向のマッピング関係が決定されるべき１つ又は複数のＱｏＳフローを含む。
【００７２】
ステップ４．３：基地局制御プレーンは、アップリンクトラフィック方向ＱｏＳフローとＤＲＢとの間のマッピング関係を決定する。基地局制御プレーンは、ＲＲＣ（Ｒａｄｉｏ  Ｒｅｓｏｕｒｃｅ  Ｃｏｎｔｒｏｌ）メッセージを介して、該当するＱｏＳフローのＤＲＢに対するマッピング関係を設定する。
【００７３】
ステップ４．４：基地局制御プレーンは、基地局制御プレーンによって決定された１つ又は複数のアップストリームＱｏＳフロー対ＤＲＢのマッピング関係を搬送する応答メッセージを送信する。
【００７４】
ステップ４．５：基地局ユーザプレーンは、アップストリーム方向ＱｏＳフロー対ＤＲＢマッピング関係を含む応答メッセージからの情報を保存する。
【００７５】
ステップ４．６において、基地局ユーザプレーンがデフォルトＤＲＢ上でＵＥから送信されたアップリンクパケットを受信すると、基地局ユーザプレーンは、基地局ユーザプレーン上のＤＲＢに対応するアップリンクＱｏＳマッピングを有する最新のアップストリームＱｏＳフロー対ＤＲＢマッピング関係に従って、アップリンクパケットに含まれるＱＦＩのＱｏＳフローを発見することができ、基地局ユーザプレーンは、基地局制御プレーンに要求メッセージを送信する必要がなくなる。
【００７６】
実施形態５
【００７７】
図６を参照すると、以下の動作を実行することができる。
【００７８】
ステップ５．１及びステップ５．２は実施形態４と同じである。
【００７９】
ステップ５．３において、基地局制御プレーンは、関連するＱｏＳフローのＤＲＢに対するマッピング関係を決定し、基地局制御プレーンは、基地局制御プレーン及びＡＳリフレクティブ指示によって決定された１つ又は複数のアップストリームＱｏＳフロー対ＤＲＢマッピング関係を搬送する応答メッセージを送信する。
【００８０】
ステップ５．４：基地局ユーザプレーンには、ＡＳリフレクティブが使用されることが指示される。対応するダウンリンクパケット（すなわち、ダウンリンクパケットに対応するＱＦＩ）が、ＡＳリフレクティブが使用されることを示すことに対応して、コアネットワークからのダウンリンクパケットが受信されると、ＱＦＩ及びＡＳリフレクティブビットがＵＥに送信され、ＤＲＢに対する関連するアップリンクＱｏＳフローのマッピングが生成される。
【００８１】
図７は、例示的な無線通信方法７００のフローチャートである。方法７００は、ｇＮＢなどの基地局によって実行され得る。方法７００は、ＱｏＳイベントに基づいて基地局の制御プレーンから基地局のユーザプレーンにサービス品質（ＱｏＳ）更新を提供すること（７０２）を含み、ＱｏＳ更新は、ＱｏＳフローと、ユーザデータ送信のための対応する無線リソースとの間のマッピングを示す情報を含む。例えば、いくつかの実施形態では、ＱｏＳイベントは、ネットワークからの少なくとも１つのＱｏＳフローの追加又は削除に関する通知をコアネットワークから受信することを含むことができる。例えば、いくつかの実施形態では、ＱｏＳイベントは、ＱｏＳフローと無線リソースとの間の再マッピングを含む。
【００８２】
方法７００は、ユーザプレーンにおいて、ＱｏＳフローと無線リソースとの間のマッピングを格納すること（７０４）をさらに含む。マッピングは、ユーザプレーンによって制御されるルックアップテーブルの形式でメモリに格納されてもよい。例えば、ユーザプレーンのみが、ルックアップテーブルを読み書きすることができる。
【００８３】
方法７００はまた、ユーザプレーンにおいて、コアネットワークからＱｏＳフローのダウンストリームデータパケットを受信すること（７０６）を含む。様々な実施形態では、コアネットワークからの通信は、有線又は無線インタフェース上で受信されてもよい。方法７００は、対応する無線リソースを使用してダウンリンク方向にダウンストリームデータパケットを送信すること（７０８）を含む。
【００８４】
図８は、他の無線通信方法８００の一例のフローチャートである。方法８００は、ＱｏＳイベントに基づいて基地局の制御プレーンから基地局のユーザプレーンにサービス品質（ＱｏＳ）更新を提供すること（８０２）を含み、ＱｏＳ更新は、対称である１つ又は複数のＱｏＳフローを識別する情報を含む。対称ＱｏＳフローは、１つ又は複数のＱｏＳフローのためのダウンリンクＱｏＳパラメータが、対応するアップリンク情報のために決定可能であるフローであってもよい。例えば、５Ｇで定義されたＮＡＳリフレクティブ属性は、対称フローであってもよい。方法８００は、ユーザプレーンにおいて、対称である１つ又は複数のＱｏＳフローのアイデンティティを格納することを含む。アイデンティティは、ユーザプレーンによって専ら制御されるメモリアクセスに格納されてもよい。方法８００は、ユーザプレーンにおいて、コアネットワークから所与のＱｏＳフローのダウンストリームデータパケットを受信すること（８０６）を含む。方法８００は、対応する無線リソースを使用してダウンリンク方向にダウンストリームデータパケットを送信すること（８０８）を含む。
【００８５】
図９は、他の無線通信方法９００の一例のフローチャートである。９０２において、コアネットワークからのダウンストリーム送信のためのデータパケットが基地局によって受信される。データパケットは、有線又は無線通信接続で受信されてもよい。データパケットは、サービス品質フローインジケータを含む。９０６において、ユーザプレーンは、基地局の制御プレーンから、サービス品質フローインジケータと、ダウンストリーム送信のための無線リソースとの間のマッピングを取得する。９０８において、ユーザプレーンは、制御プレーンから取得されたマッピングを使用して、ダウンストリーム方向にデータパケットを送信する。いくつかの実施形態では、ユーザプレーンは、サービス品質フローインジケータに基づいて、マッピングが確立されるべきであることを決定することができる（例えば、マッピングがユーザプレーンにおいてローカルに利用可能でない場合）。この決定は、ユーザプレーンにローカルなメモリに記憶された情報を検索することによって行うことができる。例えば、メモリへの読み出し又は書き込みアクセスは、ユーザプレーンを介してのみ利用可能であってもよい。
【００８６】
図１０は、他の無線通信方法１０００の一例を示すフローチャートである。１００２において、基地局は、アップリンク無線リソース上で、ユーザ機器からのアップストリーム送信のためのデータパケットを受信する。データパケットは、サービス品質フローインジケータを含む。１００６において、ユーザプレーンは、基地局の制御プレーンから、サービス品質フローインジケータとアップリンク無線リソースとの間のマッピングを取得する。１００８において、方法１０００は、アップリンク無線リソース上で受信された次のデータパケットについて、サービス品質フローインジケータによって示されるサービス品質フローを関連付けることを含む。いくつかの実施形態では、サービス品質フローインジケータとアップリンク無線リソースとの間のマッピングは、ユーザプレーンが、マッピングが確立されるべきである、例えば、ユーザプレーンにおいて利用可能でないと決定したときに取得される。
【００８７】
図１１は、他の無線通信方法１１００の一例のフローチャートである。方法１１００は、基地局において、アップリンク無線リソース上で、ユーザ機器からのアップストリーム送信のためのデータパケットを受信すること（１１０２）を含み、データパケットは、サービス品質フローインジケータを含む。方法１１００は、ユーザプレーンによって、基地局の制御プレーンから、サービス品質インジケータとアップリンク無線リソースとの間のマッピングを選択的に取得すること（１１０６）を含み、マッピングは、マッピングが対称型であることを示す。方法１１００は、マッピングが対称型であることを示すメッセージをユーザ機器に送信すること（１１０８）を含む。いくつかの実施形態では、方法１１００は、ユーザプレーンでのマッピングが利用できないためにマッピングが確立されるべきであると決定することと、それに応答して、制御プレーンからマッピングを取得することとを含む。
【００８８】
図１２は、無線通信装置１２００の例示的な実装形態のブロック図である。方法７００、８００、９００、１０００、及び１１００は、装置１２００によって実装され得る。いくつかの実施形態では、装置１２００は、無線ネットワークの基地局であってもよい。装置１２００は、１つ又は複数のプロセッサ、例えば、プロセッサエレクトロニクス１２１０、トランシーバ回路１２１５、並びに無線信号の送信及び受信のための１つ又は複数のアンテナ１２２０を含む。装置１２００は、プロセッサエレクトロニクス１２１０によって使用されるデータ及び命令を格納するために使用され得るメモリ１２０５を有していてもよい。装置１２００はまた、コアネットワーク又はネットワークオペレータの追加の機器への追加のネットワークインタフェースを有していてもよい。この追加のネットワークインタフェースは、図１２には明示的に示されていないが、有線（例えば、ファイバ若しくはイーサネット（登録商標））又は無線であってもよい。
【００８９】
図１３は、本明細書で説明される様々な技術を実装することができる無線通信システム１３００の例を示す。システム１３００は、１つ又は複数のユーザデバイス１３０６と通信するために、コアネットワーク（１３１２）及び無線通信媒体１３０４との通信接続を有することができる基地局１３０２を含む。ユーザデバイス１３０６は、スマートフォン、タブレット、マシンツーマシン通信デバイス、ＩｏＴ（Ｉｎｔｅｒｎｅｔ  ｏｆ  Ｔｈｉｎｇｓ）デバイスなどとすることができる。
【００９０】
別個のユーザプラン及び別個の制御プランを有する基地局によって管理されるデータフローの動作を提供する技術が開示されることが理解されるであろう。
【００９１】
本明細書で説明されている開示された実施形態及び他の実施形態、モジュール及び機能操作は、本明細書で開示された構造及びそれらの構造の同等物を含む、デジタル電子回路内、又はコンピュータソフトウェア、ファームウェア若しくはハードウェア内、又はこれらの１つ又は複数の組み合わせで実施することができる。開示された実施形態及び他の実施形態は、１つ又は複数のコンピュータプログラム製品、すなわち、データ処理装置による実行のために、又はデータ処理装置の動作を制御するために、コンピュータ可読媒体上に符号化されたコンピュータプログラム命令の１つ又は複数のモジュールとして実装することができる。コンピュータ可読媒体は、機械可読記憶デバイス、機械可読記憶基板、メモリデバイス、機械可読伝播信号に影響を及ぼす物質の組成物、又はそれらの１つ又は複数の組み合わせとすることができる。用語「データ処理装置」は、例として、プログラマブルプロセッサ、コンピュータ、又は複数のプロセッサ若しくはコンピュータを含む、データを処理するためのすべての装置、デバイス、及び機械を包含する。装置は、ハードウェアに加えて、当該コンピュータプログラムのための実行環境を生成するコード、例えば、プロセッサファームウェア、プロトコルスタック、データベース管理システム、オペレーティングシステム、又はそれらのうちの１つ又は複数の組合せを構成するコードを含むことができる。伝搬信号は、人工的に生成された信号、例えば、適切な受信装置への送信のために情報を符号化するために生成される機械生成電気信号、光信号、又は電磁信号である。
【００９２】
コンピュータプログラム（プログラム、ソフトウェア、ソフトウェアアプリケーション、スクリプト、又はコードとしても知られる）は、コンパイルされた言語又は解釈された言語を含む、任意の形態のプログラミング言語で書くことができ、スタンドアロンプログラムとして、又はモジュール、コンポーネント、サブルーチン、若しくはコンピューティング環境で使用するのに適した他のユニットとして含む、任意の形態で展開することができる。コンピュータプログラムは、必ずしもファイルシステム内のファイルに対応する必要はない。プログラムは、他のプログラム又はデータ（例えば、マークアップ言語文書に格納された１つ又は複数のスクリプト）を保持するファイルの一部、当該プログラム専用の単一のファイル、又は複数の調整されたファイル（例えば、１つ又は複数のモジュール、サブプログラム、又はコードの一部を格納するファイル）に格納することができる。コンピュータプログラムは、１つのサイトに配置された、又は複数のサイトにわたって分散され、通信ネットワークによって相互接続された、１つのコンピュータ上で、又は複数のコンピュータ上で実行されるように展開することができる。
【００９３】
本明細書で説明したプロセスとロジックの流れは、入力データを操作して出力を生成することによって機能を果たすために、１つ又は複数のコンピュータプログラムを実行する１つ又は複数のプログラマブルプロセッサによって実行することができる。プロセス及び論理フローは、ＦＰＧＡ（フィールドプログラマブルゲートアレイ）又はＡＳＩＣ（特定用途向け集積回路）などの専用論理回路によって実行することもでき、装置は、専用論理回路として実装することもできる。
【００９４】
コンピュータプログラムの実行に適したプロセッサには、例として、汎用マイクロプロセッサと専用マイクロプロセッサの両方、及び任意の種類のデジタルコンピュータの任意の１つ又は複数のプロセッサが含まれる。一般に、プロセッサは、読み出し専用メモリ又はランダムアクセスメモリ又はその両方から命令及びデータを受信する。コンピュータの本質的な要素は、命令を実行するためのプロセッサと、命令及びデータを記憶するための１つ又は複数のメモリデバイスである。一般に、コンピュータはまた、データを記憶するための、例えば磁気ディスク、光磁気ディスク、又は光ディスクの１つ又は複数の大容量記憶装置を含むか、又は、それらからデータを受信するか、若しくはそれらにデータを転送するか、若しくはそれらの両方を行うように動作可能に結合される。しかしながら、コンピュータは、そのような装置を有する必要はない。コンピュータプログラム命令及びデータを記憶するのに適したコンピュータ可読媒体には、例として、例えばＥＰＲＯＭ、ＥＥＰＲＯＭ、及びフラッシュメモリデバイスなどの半導体メモリデバイス；例えば内部ハードディスク又はリムーバブルディスクなどの磁気ディスク；並びにＣＤ  ＲＯＭ及びＤＶＤ−ＲＯＭディスクなどの光磁気ディスクを含む、すべての形態の不揮発性メモリ、媒体、及びメモリデバイスが含まれる。プロセッサ及びメモリは、特殊目的論理回路によって補足され得るか、又は特殊目的論理回路に組み込まれ得る。
【００９５】
本明細書は多くの詳細を含むが、これらは、特許請求される発明の範囲又は特許請求され得る発明の範囲に対する限定として解釈されるべきではなく、むしろ、特定の実施形態に特有の特徴の説明として解釈されるべきである。別個の実施形態の文脈で本明細書に記載されている特定の特徴は、単一の実施形態においても組み合わせて実施することができる。逆に、単一の実施形態の文脈で説明される様々な特徴は、複数の実施形態で別々に、又は任意の適切なサブコンビネーションで実装することもできる。さらに、特徴は、特定の組み合わせで動作するものとして上記で説明されてもよく、そのようなものとして最初に特許請求されてもよいが、特許請求される組み合わせからの１つ又は複数の特徴は、場合によっては、その組み合わせから削除されてもよく、特許請求される組み合わせは、サブコンビネーション又はサブコンビネーションの変形に向けられてもよい。同様に、動作は、特定の順序で図面に示されているが、これは、望ましい結果を達成するために、そのような動作が、示された特定の順序で、又は連続的な順序で実行されること、又は示されたすべての動作が実行されることを必要とするものとして理解されるべきではない。
【００９６】
いくつかの実施例及び実装例のみが開示される。説明された実施例及び実装例、並びに他の実装例に対する変形、修正、及び強化は、開示されたものに基づいて行われ得る。
【図１】
0006974587.tif 000002
【図２】
0006974587.tif 000003
【図３】
0006974587.tif 000004
【図４】
0006974587.tif 000005
【図５】
0006974587.tif 000006
【図６】
0006974587.tif 000007
【図７】
0006974587.tif 000008
【図８】
0006974587.tif 000009
【図９】
0006974587.tif 000010
【図１０】
0006974587.tif 000011
【図１１】
0006974587.tif 000012
【図１２】
0006974587.tif 000013
【図１３】
0006974587.tif 000014